(57)【特許請求の範囲】
【請求項１】
ボタンの１回の押下における、当該ボタンに取付けられた複数の接触部の一部または全部と、上記接触部に対応するキーパッドの接触／非接触に応じて変化する電位をスキャンして上記ボタンの操作を検出し、当該検出したボタンの操作に応じた論理値を発生させることで、当該論理値に対応する情報を入力する装置であって、
上記接触部ごとに対応するキーパッドとの電位をスキャンして、当該接触部ごとの電位のすべてが、連続する複数回のスキャンの結果で同じときにのみ上記ボタンの操作を検出するボタン操作検出部を有してなり、
上記ボタン操作検出部は、上記接触部ごとの電位のすべてが連続する複数回のスキャンの結果で同じでないときは上記ボタンの操作を検出しないことを特徴とする情報入力装置。
【請求項２】
ボタンには２個の接触部が取付けられ、当該ボタンの操作が検出されると、上記ボタンに対応付けられた３文字の中からいずれか１文字を入力することができる請求項１記載の情報入力装置。
【請求項３】
キーパッドの半径は２．０ｍｍ、このキーパッドと対応する接触部の電位をスキャンする時間は０．１秒である請求項２記載の情報入力装置。
【請求項４】
情報入力手段と情報出力手段とを有してなり、上記情報入力手段を用いて上記情報出力手段に表示する文字を入力するようにした携帯電話機であって、
上記情報入力手段が請求項１乃至３のいずれかに記載の情報入力装置であることを特徴とする携帯電話機。
【発明の詳細な説明】
【０００１】
【発明の属する技術分野】
本発明は、複数の情報が対応付けられたボタンを押下することで、対応付けられた情報のいずれか１つを入力することができる情報入力装置と方法、並びに当該情報入力装置と方法を用いた携帯電話機と携帯電話機の文字入力方法に関するものである。
【０００２】
【従来の技術】
インターネットに代表される通信ネットワークの普及に伴い、ＷＥＢや電子メールなどといった、通信ネットワークサービスの利用者が増加している。その際、利用者が用いる情報処理端末としては、パソコン等の情報処理機器に加えて、近年では、データ通信機能を有した携帯電話機が増加している。
【０００３】
図１１は、携帯電話機の正面図の例である。
携帯電話機１０ａは、その外周面にボタン操作部１ａと情報表示部３ａと、その内部に図示しないボタン操作検出部と、論理値発生部とを有してなる。
携帯電話機１０ａの利用者は、ボタン操作部１ａに配置されたボタンを押下することで情報を入力し、ＷＥＢサイトや電子メールなどを情報表示部３ａに表示させることができる。
【０００４】
ボタン操作部１ａには、複数のボタンが配置されている。図１２（ａ）は、ボタン操作部１ａの正面図の例である。ボタン操作部１ａには、ボタンＢ１ａ乃至Ｂ９ａが配置されている。携帯電話機１０ａの利用者は、ボタンＢ１ａ乃至Ｂ９ａの９個のボタンを押下することで、文字「Ａ」乃至「Ｚ」と「．」の合計２７文字を入力することができる。
ここで各ボタンには、３文字づつ対応付けられており、ボタンの表面には対応付けられた文字が刻設表示されている。すなわち、例えば、ボタンＢ１ａには、「Ａ」「Ｂ」「Ｃ」の３文字が対応付けられている。
【０００５】
携帯電話機の内部の、ボタン操作部１ａの背面にはプリント基板が配置されている。図１２（ｂ）は、プリント基板の正面図の例である。プリント基板２ａには、キーパッドＰ１ａ乃至Ｐ９ａが配置されている。
ここで各キーパッドは、ボタンに１対１に対応している。すなわち、ボタンＢ１ａ乃至Ｂ９ａのそれぞれの背面に、キーパッドＰ１ａ乃至Ｐ９ａが配置されている。
【０００６】
ボタン操作部１ａに配置された各ボタンには、プリント基板２ａとの対向面に接触部が１個づつ取付けられている。
ボタン操作部１ａとプリント基板２ａとは、ボタン操作部１ａに配置されたボタンに取付けられた接触部と、プリント基板２ａに配置されたキーパッドとが、ボタンが押下されていない状態では接触せず、ボタンが押下された状態では接触する位置に、略平行に配置されている。
図１３は、ボタン操作部１ａとプリント基板２ａの側面図であり、図１３（ａ）はボタンＢ１ａが押下されていない状態、図１３（ｂ）はボタンＢ１ａが押下された状態を示す。ボタンＢ１ａが押下されていない状態では、ボタンＢ１ａに取付けられた接触部Ｃ１ａとキーパッドＰ１ａとは接触せず、ボタンＢ１ａが押下された状態では、接触部Ｃ１ａとキーパッドＰ１ａとは接触する。
【０００７】
ボタンに対応付けられた３文字のそれぞれは、当該ボタンの押下回数により入力することができる。すなわち、例えば、ボタンＢ１ａの場合、押下回数が１回で「Ａ」、２回で「Ｂ」、３回で「Ｃ」を入力することができる。
【０００８】
次に、携帯電話機の文字入力の方法について説明する。
図１４は、携帯電話機における文字入力のフローチャートである。
携帯電話機の利用者が、ボタン操作部のボタンを押下する（Ｓ１）。
ボタン操作検出部は、後述する方法により、押下されたボタンと押下回数（連続して押下された回数）を検出する（Ｓ２）。
論理値発生部は、当該検出結果（押下されたボタンと押下回数）に応じた論理値を発生させる（Ｓ３）。
携帯電話機内部の別の手段は、当該発生した論理値を文字に変換して情報表示部に表示する（Ｓ４）。
【０００９】
ここで、ボタン操作検出部が、押下されたボタンと押下回数を検出する方法について説明する。
ボタン操作検出部は、接触部とキーパッドの接触／非接触に応じて変化する電位を一定時間間隔でスキャンする。
図１５（ａ）は、接触部Ｃ１ａとキーパッドＰ１ａの接触／非接触に応じて変化する電位Ｖ１ａを示した図である。
ＶＨは、接触部Ｃ１ａとキーパッドＰ１ａとが接触していない、すなわちボタンＢ１ａが押下されていない状態での電位である。またＶＬは、接触部Ｃ１ａとキーパッドＰ１ａとが接触している、すなわちボタンＢ１ａが押下されている状態での電位である。
時刻Ｔｎ−１、Ｔｎ、Ｔｎ＋１のそれぞれは、ボタン操作検出部が電位Ｖ１ａをスキャンした時刻である。すなわち、Ｔｎ＋１―Ｔｎ＝Ｔｎ―Ｔｎ−１の関係が成り立つ。
時刻Ｔ１とＴ２のそれぞれは、接触部Ｃ１ａとキーパッドＰ１ａの接触開始時刻と接触停止時刻である。すなわち、ボタンＢ１ａは、時刻Ｔ１からＴ２までの間、押下されていたことを示す。
【００１０】
図１５（ｂ）は、ボタン操作検出部が電位Ｖ１ａをスキャンした結果を示した図表である。ボタン操作検出部は、当該結果によりボタンＢ１ａの１回の押下を検出する。
ボタンＢ１ａが複数回押下されると、電位Ｖ１ａは、図１５（ａ）に示す変化（ＶＨ→ＶＬ→ＶＨ）を押下された回数だけ連続して発生するため、ボタン操作検出部は、押下回数を検出することができる。
【００１１】
なお、ボタン操作検出部は、利用者が図示しない手段（例えば、ボタン操作部に配置された別のボタン）を用いて押下回数に応じて発生した論理値に対応する文字の入力を確定すると、ボタンの押下回数を０回にクリアし、以後、当該ボタンの押下を検出すると、押下回数を１回とする。
【００１２】
【発明が解決しようとする課題】
しかしながら、携帯電話機は小型化が重視されるため、ボタン操作部も小型化が要求され、ボタンの数は制限されてしまう。その結果、以上説明したように、１つのボタンに複数の文字を対応させなければならず、１文字を入力するのに同じボタンを複数回押す必要があり、文字の入力に時間がかかってしまう。
【００１３】
本発明は以上のような従来技術の問題点を解消するためになされたもので、１回のボタンの押下でボタンに対応付けられた複数の情報のうち１つを入力でき、その結果情報の入力時間を短縮できる、情報入力装置及び方法、並びに当該情報入力装置を用いた携帯電話機とその文字入力方法を提供することを目的とする。
【００１４】
【課題を解決するための手段】
請求項１記載の発明は、ボタンの１回の押下における、当該ボタンに取付けられた複数の接触部の一部または全部と、上記接触部に対応するキーパッドの接触／非接触に応じて変化する電位をスキャンして上記ボタンの操作を検出し、当該検出したボタンの操作に応じた論理値を発生させることで、当該論理値に対応する情報を入力する装置であって、接触部ごとに対応するキーパッドとの電位をスキャンして、接触部ごとの電位のすべてが、連続する複数回のスキャンの結果で同じときにのみボタンの操作を検出するボタン操作検出部を有してなり、上記ボタン操作検出部は、上記接触部ごとの電位のすべてが連続する複数回のスキャンの結果で同じでないときは上記ボタンの操作を検出しないことを特徴とする。
【００１５】
請求項２記載の発明は、請求項１記載の発明において、ボタンには２個の接触部が取付けられ、ボタンの操作が検出されると、ボタンに対応付けられた３文字の中からいずれか１文字を入力することができることを特徴とする。
【００１６】
請求項３記載の発明は、請求項１または２記載の発明において、キーパッドの半径は２．０ｍｍ、キーパッドと対応する接触部の電位をスキャンする時間は０．１秒であることを特徴とする。
【００１７】
請求項４記載の発明は、情報入力手段と情報出力手段とを有してなり、上記情報入力手段を用いて上記情報出力手段に表示する文字を入力するようにした携帯電話機であって、上記情報入力手段が請求項１乃至３のいずれかに記載の情報入力装置であることを特徴とする。
【００２２】
【発明の実施の形態】
以下、図面を参照しながら本発明にかかる情報入力装置及び方法、並びに携帯電話機及び携帯電話機の文字入力方法の実施の形態について説明する。
なお本実施の形態では、本発明にかかる情報入力装置を携帯電話機の文字入力手段に使用する場合を例として説明する。ここで本発明にかかる携帯電話機は、本発明にかかる情報入力装置を用いた情報入力手段のほかに、情報出力手段を有してなる。
【００２３】
先ず、本発明にかかる情報入力装置の例について説明する。
本発明にかかる情報入力装置は、ボタン操作部、キーパッド、ボタン操作検出部、論理値発生部を有してなる。
【００２４】
図１は、本発明にかかる情報入力装置の要部の実施の形態を示した図である。図１（ａ）は、ボタン操作部の正面図である。ボタン操作部１には、ボタンＢ１乃至Ｂ９の９個のボタンが配置されている。
各ボタンには、３文字づつ対応付けられている。すなわち、９個のボタンで「Ａ」乃至「Ｚ」と「．」の合計２７文字を入力することができる。なお、ボタンの表面には、対応付けられた文字が刻設表示されており、例えば、ボタンＢ１の表面には、図１（ａ）の向かって左側から「Ａ」「Ｂ」「Ｃ」と刻設表示されている。
【００２５】
図１（ｂ）は、携帯電話機の内部の、ボタン操作部１の背面に配置されたプリント基板の正面図である。プリント基板２には、キーパッドＰ１−１乃至Ｐ９−２の合計１８個のキーパッドが配置されている。
【００２６】
ボタン操作部１に配置された各ボタンには、プリント基板２との対向面に２個づつ接触部が取付けられている。
ボタン操作部１とプリント基板２とは、ボタン操作部１に配置されたボタンに取付けられた接触部と、プリント基板２に配置されたキーパッドとが、ボタンが押下されていない状態では接触せず、ボタンが押下された状態では接触する位置に、略平行に配置されている。
【００２７】
図２は、ボタン操作部１とプリント基板２の側面図であり、図２（ａ）は、ボタンＢ１が押下されていない状態、図２（ｂ）と図２（ｃ）は、ボタンＢ１が押下されている状態を示す。
ここで、図２（ｂ）は、ボタンＢ１の左側（「Ａ」が刻設表示されている側）が押下されて接触部Ｃ１−１とキーパッドＰ１−１のみが接触した状態を示し、図２（ｃ）は、ボタンＢ１の中央が押下されて接触部Ｃ１−１とＣ１−２とが、それぞれキーパッドＰ１−１とＰ１−２と接触した状態を示している。
なお、図示していないが、ボタンＢ１の右側（「Ｃ」が刻設表示されている側）を押下した状態では、接触部Ｃ１−２とキーパッドＰ１−２のみが接触する。
【００２８】
次に、本発明にかかる情報入力方法について説明する。
本発明にかかる情報入力方法は、図１４に示す従来の情報入力方法と同じように、ボタン操作を検出し、当該検出結果に基づいて論理値を発生させて行う。ただし、本発明にかかるボタン操作の検出方法は、以下に説明するように、従来の検出方法と異なる。
【００２９】
ボタン操作検出部は、接触部とキーパッドの接触／非接触に応じて変化する電位を一定時間間隔でスキャンする。すなわち、キーパッドごと（接触部ごと）の上記電位をスキャンして、電位の変化によりボタン操作を検出する。ただし、ボタン操作の検出は、連続する２回のスキャンの結果に基づいて行う。すなわち、１回目のスキャンと２回目のスキャンの結果を比較し、結果が同じであれば、当該結果に基づいたボタン操作を検出する。１回目と２回目のスキャンの結果が異なれば、３回目のスキャンの結果を２回目のスキャンの結果と比較する（これ以降も同様に、ボタン操作を検出するために連続する２回のスキャンの結果を比較し続ける）。
【００３０】
連続する２回のスキャンの結果を比較してボタン操作を検出するのは、ボタン押下の誤りによる入力情報の誤りを防止するためである。すなわち、本発明にかかる情報入力装置は、ボタンに２個づつ接触部を設けてあり、各接触部のキーパッドとの接触により論理値を発生させるようにしてある。したがって、ボタンのサイズが小さい場合、押下場所を誤る可能性があり、その結果、入力情報の誤りが発生する可能性がある。
【００３１】
ボタンＢ１を例とすると、「Ａ」を入力するつもりが、ボタンＢ１の中央を押下（接触部Ｃ１−１とＣ１−２が、それぞれキーパッドＰ１−１とＰ１−２と接触する）してしまい、その後にボタンＢ１の左側を押下（接触部Ｃ１−１のみがキーパッドＰ１−１と接触する）した場合、２回のボタン操作のそれぞれに対して論理値を発生させると、「Ａ」「Ｂ」の２文字が入力されてしまう。
あるいは、「Ｂ」を入力するつもりが、ボタンＢ１の右側を押下（接触部Ｃ１−２のみがキーパッドＰ１−２と接触する）してしまい、その後にボタンＢ１の中央を押下（接触部Ｃ１−１とＣ１−２が、キーパッドＰ１−１とＰ１−２と接触する）した場合、２回のボタン操作のそれぞれに対して論理値を発生させると、「Ｃ」「Ｂ」の２文字が入力されてしまう。
【００３２】
以下、図３乃至９を参照しながら、連続する２回のスキャンの結果に基づいてボタン操作を検出する方法について説明する。
図３乃至５は、ボタン操作検出部が、ボタンＢ１の左側、右側、中央の押下をそれぞれ検出する例を示した図である。一方、図６乃至９は、ボタン操作検出部が、ボタンＢ１の操作を検出しない例を示した図である。
なお、図３乃至９において、（ａ）はボタンＢ１に取付けられた接触部と対応するキーパッドに関する電位の変化を示した図、（ｂ）はボタン操作検出部のスキャン結果を示した図である。また、図３乃至５において、（ｃ）は携帯電話機の情報表示部の表示例を示した図である。
【００３３】
ここで、図３乃至９の（ａ）（ｂ）において、Ｖ１−１は、接触部Ｃ１−１とキーパッドＰ１−１に関する電位、Ｖ１−２は接触部Ｃ１−２とキーパッドＰ１−２に関する電位である。
また、ＶＨは、接触部とキーパッドが接触していない状態、ＶＬは、接触部とキーパッドが接触している状態での電位である。
さらに、時刻Ｔｎ−１、Ｔｎ、Ｔｎ＋１、Ｔｎ＋２のそれぞれは、ボタン操作検出部が電位Ｖ１−１、Ｖ１−２をスキャンした時刻である（Ｔｎ＋２―Ｔｎ＋１＝Ｔｎ＋１―Ｔｎ＝Ｔｎ―Ｔｎ−１）。
【００３４】
ボタンＢ１の左側を押下して、「Ａ」を入力する方法について説明する。
図３（ａ）に示す時刻Ｔ１とＴ２のそれぞれは、ボタンＢ１の左側の押下開始とみなす時刻、押下停止とみなす時刻である（実際には、ボタンの押下開始直後、あるいは押下停止直後は、電位の変化が不安定であり、本発明では、電位の変化が安定した時刻をそれぞれ、ボタンの押下開始時刻、あるいはボタンの押下停止時刻としている）。
ボタン操作検出部は、図３（ｂ）に示すように、時刻ＴｎとＴｎ＋１におけるスキャンの結果が同じであることから、接触部Ｃ１−１とキーパッドＰ１−１とが接触したことを検出する。論理値発生部は、当該検出結果に応じて「Ａ」に対応する論理値を発生させ、情報出力手段の一部である情報表示部３に「Ａ」が表示され、利用者が図示しない手段を用いて入力文字を確定する。ここで、図３（ｃ）に示すように、情報表示部３に、入力文字が「Ａ」であることを示した入力文字リスト４を表示させて、利用者に入力文字を確認させるようにしてもよい。
【００３５】
ボタンＢ１の右側を押下して、「Ｃ」を入力する方法について説明する。
図４（ａ）に示す時刻Ｔ１とＴ２のそれぞれは、前述と同様に、ボタンＢ１の右側の押下開始とみなす時刻、押下停止とみなす時刻である。
ボタン操作検出部は、図４（ｂ）に示すように、時刻ＴｎとＴｎ＋１におけるスキャンの結果が同じであることから、接触部Ｃ１−２とキーパッドＰ１−２とが接触したことを検出する。論理値発生部は、当該検出結果に応じて「Ｃ」に対応する論理値を発生させ、情報表示部３に「Ｃ」が表示され、利用者が図示しない手段を用いて入力文字を確定する。ここで、図４（ｃ）に示すように、前述の入力文字リスト４を表示させてもよい。
【００３６】
ボタンＢ１の中央を押下して、「Ｂ」を入力する方法について説明する。
図５（ａ）に示す時刻Ｔ１とＴ２のそれぞれは、前述と同様に、ボタンＢ１の左側と右側の押下開始とみなす時刻、時刻Ｔ３とＴ４のそれぞれは、ボタンＢ１の左側と右側の押下停止とみなす時刻である。
ボタン操作検出部は、図５（ｂ）に示すように、時刻ＴｎとＴｎ＋１におけるスキャンの結果が同じであることから、接触部Ｃ１−１とキーパッドＰ１−１、及び、接触部Ｃ１−２とキーパッドＰ１−２とが接触したことを検出する。論理値発生部は、当該検出結果に応じて「Ｂ」に対応する論理値を発生させ、情報表示部３に「Ｂ」が表示され、利用者が図示しない手段を用いて入力文字を確定する。ここで、図５（ｃ）に示すように、前述の入力文字リスト４を表示させてもよい。
【００３７】
なお、情報表示部３に表示された文字の確定方法は、利用者が図示しない手段を用いて確定させる他に、情報表示部３に表示されて一定時間が経過すると自動的に確定するようにしてもよい。すなわち、一定時間が経過する前であれば、利用者は、同じボタンを押下し直すことで入力文字を訂正することができる。
【００３８】
以上説明したように、ボタン操作検出部は、２回のスキャン結果に基づいてボタンの押下を検出する。したがって、電位Ｖ１−１、Ｖ１−２のいずれか、あるいは双方の変化を、ボタン操作検出部がスキャンしたとしても、図６乃至９に示すような変化、つまり連続した２回のスキャン結果が同じにならない場合は、ボタン操作検出部は、ボタン操作を検出しない。
【００３９】
以上説明した実施の形態によれば、ボタンＢ１の１回の押下における、上記ボタンＢ１に取付けられた接触部Ｃ１−１、Ｃ１−２の一部または全部と、対応するキーパッドＰ１−１、Ｐ１−２との接触に基づきボタン操作を検出し、上記ボタン操作に対応する論理値を発生させることにより、１回のボタン押下で、３文字の中から１文字を選択して入力でき、文字の入力時間（入力速度）を短縮することができる。
【００４０】
また、ボタン操作の検出は、連続した複数回の接触部とキーパッドの接触の検出結果を比較して行うことにより、ボタンの押下場所の誤りに基づく入力文字の誤りを防止することができ、文字入力の速度をさらに向上させることができる。
ここで、スキャンの結果を比較する回数を２回に限らず、３回以上としてもよい。
【００４１】
スキャンの時間間隔を短くすれば、ボタン操作を検出するまでの時間が短くなり、すなわち文字の入力時間が短くなる。しかし、ボタンの押下場所を誤ってしまった場合、所望の場所を押下し直す前にボタン操作が検出され得る。
一方、スキャンの時間間隔を長くすれば、ボタン操作を検出するまでの時間が長くなり、すなわち文字の入力時間が長くなる。しかし、ボタンの押下場所を誤ってしまった場合であっても、ボタン操作が検出される前に所望の場所を押下し得る。
【００４２】
つまり、スキャンの時間間隔は、文字の入力時間に影響するが、本発明にかかる情報入力装置を文字入力手段として使用した携帯電話機で、スキャン時間を０．１秒として実験したところ、ボタン操作は正確に検出された。
なお、実験で用いた本発明にかかる情報入力装置のキーパッドのサイズは、半径２．０ｍｍと、従来の携帯電話機のキーパッドのサイズ（半径２．５ｍｍ程度）よりも小さくしてあり、ボタンのサイズを従来の携帯電話機のそれと同じとしたまま、キーパッドを２個取付けた。つまり、ボタン操作部の面積、およびボタンの大きさは従来の携帯電話機と同じとしたまま、ボタンに取付けたキーパッドの数を２個とした。
【００４３】
以上説明した実施の形態において、ボタンには２個の接触部が取付けてあるが、ボタンに取付ける接触部の数は、３個以上であっても構わない。
図１０（ａ）は、３個の接触部Ｃ３１，Ｃ３２，Ｃ３３を取付けたボタンＢ３０の例を示した底面図である。また、図１０（ｂ）は、４個の接触部Ｃ４１，Ｃ４２，Ｃ４３，Ｃ４４を取付けたボタンＢ４０の例を示した底面図である。
【００４４】
ボタンＢ３０を有してなる情報入力装置を用いれば、ボタンを押下する場所により、図示しないキーパッドと接触する接触部の一部または全部の組合せは、「Ｃ３１のみ」「Ｃ３２のみ」「Ｃ３３のみ」「Ｃ３１とＣ３２」「Ｃ３１とＣ３３」「Ｃ３２とＣ３３」及び「Ｃ３１、Ｃ３２、Ｃ３３」の合計７通りある。すなわち、７種類の情報のいずれか１つを１回のボタンＢ３０の押下により入力することができる。
同様に、ボタンＢ４０を有してなる情報入力装置を用いれば、９種類の情報のいずれか１つを１回のボタンＢ４０の押下により入力することができる。
【００４５】
また、本発明にかかる情報入力装置は、以上説明した携帯電話機の文字入力手段としての使用以外であってもよい。すなわち、利用者がボタンを押下することで、当該ボタンに対応付けられた情報を入力するためのものであればよく、例えば、パソコンのキーボード、あるいはテレビやエアコンなど電化製品のリモコンなどにも使用できる。
【００４６】
【発明の効果】
請求項１記載の発明によれば、ボタンに取付けられた複数の接触部ごとに対応するキーパッドとの電位をスキャンして、この接触部ごとの電位のすべてが、連続する複数回のスキャンの結果で同じときにのみ上記ボタンの操作を検出し、接触部ごとの電位のすべてが連続する複数回のスキャン結果で同じでないときは上記ボタンの操作を検出しないようにしたことで、ボタンの押下場所の誤りに基づく入力情報の誤りを防止することができ、情報の入力時間を短縮することができる。
【００４７】
請求項２記載の発明によれば、ボタンに２個の接触部を取付けたことで、ボタンに対応付けられた３文字の中からいずれか１文字を１回のボタンの押下で入力することができる。
【００４９】
請求項４記載の発明によれば、携帯電話機への文字の入力を、本発明にかかる情報入力方法により行うことで、携帯電話機への文字の入力時間を短縮することができる。
【図面の簡単な説明】
【図１】本発明にかかる情報入力装置の要部の実施の形態を示す図であり、（ａ）はボタン操作部の正面図、（ｂ）はプリント基板の正面図である。
【図２】上記ボタン操作部とプリント基板の側面図であり、（ａ）はボタンが押下されていない状態、（ｂ）はボタンの左側のみが押下された状態、（ｃ）はボタンの中央が押下された状態、である。
【図３】ボタンの左側の押下を検出する例を示す図であり、（ａ）は接触部とキーパッドに関する電位、（ｂ）は接触部とキーパッドの接触のスキャン結果、（ｃ）は携帯電話機の情報表示部の表示例、である。
【図４】ボタンの右側の押下を検出する例を示す図であり、（ａ）は接触部とキーパッドに関する電位、（ｂ）は接触部とキーパッドの接触のスキャン結果、（ｃ）は携帯電話機の情報表示部の表示例、である。
【図５】ボタンの中央の押下を検出する例を示す図であり、（ａ）は接触部とキーパッドに関する電位、（ｂ）は接触部とキーパッドの接触のスキャン結果、（ｃ）は携帯電話機の情報表示部の表示例、である。
【図６】ボタン操作が検出されない例を示す図であり、（ａ）は接触部とキーパッドに関する電位、（ｂ）は接触部とキーパッドの接触のスキャン結果、である。
【図７】ボタン操作が検出されない別の例を示す図であり、（ａ）は接触部とキーパッドに関する電位、（ｂ）は接触部とキーパッドの接触のスキャン結果、である。
【図８】ボタン操作が検出されないさらに別の例を示す図であり、（ａ）は接触部とキーパッドに関する電位、（ｂ）は接触部とキーパッドの接触のスキャン結果、である。
【図９】ボタン操作が検出されないさらに別の例を示す図であり、（ａ）は接触部とキーパッドに関する電位、（ｂ）は接触部とキーパッドの接触のスキャン結果、である。
【図１０】本発明にかかる情報入力装置の別の実施の形態を示す図であり、（ａ）は３個の接触部を取付けたボタンの底面図、（ｂ）は４個の接触部を取付けたボタンの底面図、である。
【図１１】従来の情報入力手段を用いた携帯電話機の正面図である。
【図１２】図１１の携帯電話機の要部を示す図であり、（ａ）はボタン操作部の正面図、（ｂ）はプリント基板の正面図である。
【図１３】図１２（ａ）と（ｂ）に示すボタン操作部とプリント基板の側面図であり、（ａ）はボタンが押下されていない状態、（ｂ）はボタンが押下された状態、である。
【図１４】従来の情報入力装置を用いた携帯電話機における文字入力のフローチャートである。
【図１５】従来の情報入力装置によるボタン操作の検出方法を示す図であり、（ａ）は接触部とキーパッドの接触／非接触に応じて変化する電位を示す図、（ｂ）は接触部とキーパッドの接触のスキャン結果を示す図、である。
【符号の説明】
１，１ａ                    ボタン操作部
２，２ａ                    プリント基板
３，３ａ                    文字表示部
４                          入力文字リスト
ＶＨ                        接触部とキーパッドが非接触状態での電位
ＶＬ                        接触部とキーパッドが接触状態での電位
Ｔｎ−１、Ｔｎ、Ｔｎ＋１、Ｔｎ＋２  電位のスキャン時刻
【図１】
0003597141.tif 000002
【図２】
0003597141.tif 000003
【図３】
0003597141.tif 000004
【図４】
0003597141.tif 000005
【図５】
0003597141.tif 000006
【図６】
0003597141.tif 000007
【図７】
0003597141.tif 000008
【図８】
0003597141.tif 000009
【図９】
0003597141.tif 000010
【図１０】
0003597141.tif 000011
【図１１】
0003597141.tif 000012
【図１２】
0003597141.tif 000013
【図１３】
0003597141.tif 000014
【図１４】
0003597141.tif 000015
【図１５】
0003597141.tif 000016